(57)【要約】単芯ファイバを通して光信号の双方向伝送を行うための光送受信器は、第１光波長を送信波長とし第２光波長を受信波長とした第１送受信モジュールと、第１光波長を受信波長とし第２光波長を送信波長とした第２送受信モジュールと、これらモジュールを光学的に単芯ファイバに接続する合分波器とを有する。制御部は、第１および第２送受信モジュールのいずれかが受信光を受信すると、受信光を受信した送受信モジュールにより光信号の双方向伝送を行い、他方の送受信モジュールへの電源を停止する。
2004056020.tif 000002
【特許請求の範囲】
【請求項１】
単芯ファイバを通して光信号の双方向伝送を行うための光送受信器において、
複数の受信波長の受信光を受信可能であり、かつ、前記複数の受信波長の各々と対になる複数の送信波長の送信光を送信可能な送受信手段と、
前記送受信手段を前記単芯ファイバに光学的に接続する接続手段と、
前記送受信手段により受信された受信光の受信波長に従って、当該受信光の受信波長とそれと対になる送信波長とを前記送受信手段の送受信波長として選択する制御手段と、
を有することを特徴とする光送受信器。
【請求項２】
前記送受信手段は、
第１光波長を送信波長とし、第２光波長を受信波長とした第１送受信手段と、
前記第１光波長を受信波長とし、前記第２光波長を送信波長とした第２送受信手段と、
を有し、
前記制御手段は、前記第１送受信手段および前記第２送受信手段のいずれかが受信光を受信すると、前記受信光を受信した送受信手段により光信号の双方向伝送を行うことを特徴とする請求項１記載の光送受信器。
【請求項３】
前記制御手段は、前記第１送受信手段および前記第２送受信手段へ電力を供給するためのパワー制御手段を含み、前記パワー制御手段は前記受信光を受信した送受信手段に電力を供給し、他方の送受信手段には電力供給を停止することを特徴する請求項２記載の光送受信器。
【請求項４】
前記接続手段は光スイッチであり、前記制御手段は、前記受信光を受信した送受信手段と前記ファイバとが接続するように前記光スイッチを制御することを特徴する請求項２記載の光送受信器。
【請求項５】
前記送受信手段は、
第１光波長および第２光波長のいずれかを送信波長として送信光を出力する送信手段と、
前記第１光波長を受信波長とする第１受信手段と、
前記第２光波長を受信波長とする第２受信手段と、
を有し、
前記制御手段は、前記第１受信手段および前記第２受信手段のいずれかが受信光を受信すると、前記受信光を受信した受信手段を選択し、かつ、前記受信光の受信波長とは別の波長を送信波長とするように前記送信手段を制御することを特徴とする請求項１記載の光送受信器。
【請求項６】
前記制御手段は、前記第１受信手段および前記第２受信手段へ電力を供給するためのパワー制御手段を含み、前記パワー制御手段は前記受信光を受信した受信手段に電力を供給し、他方の受信手段には電力供給を停止することを特徴する請求項５記載の光送受信器。
【請求項７】
前記送受信手段は、
第１光波長を送信波長とし第２光波長を受信波長とした第１送受信手段と、前記第１光波長を受信波長とし前記第２光波長を送信波長とした第２送受信手段と、前記第１送受信手段と前記第２送受信手段とを前記接続手段に光学的に接続する合分波手段と、を有するモジュールを複数個配列したことを特徴する請求項１記載の光送受信器。
【請求項８】
端局間で単芯ファイバを通して光信号の双方向伝送を行うための双方向光伝送システムにおいて、
前記端局のうち少なくとも一方の端局には、
複数の受信波長の受信光を受信可能であり、かつ、前記複数の受信波長の各々と対になる複数の送信波長の送信光を送信可能な送受信手段と、
前記送受信手段を前記単芯ファイバに光学的に接続する接続手段と、
前記送受信手段により受信された受信光の受信波長に従って、当該受信光の受信波長とそれと対になる送信波長とを前記送受信手段の送受信波長として選択する制御手段と、
を有する光送受信器が設けられていることを特徴とする双方向光伝送システム。
【請求項９】
前記制御手段は、前記受信光の受信検出を行うために、ランダムな時間間隔で前記送受信手段の送信波長及び受信波長を切り替えることを特徴とする請求項８記載の双方向光伝送システム。
【請求項１０】
単芯ファイバを通して光信号の双方向伝送を行うための光送受信器における光波長選択方法において、
前記光送受信器は、第１光波長を送信波長とし第２光波長を受信波長とした第１送受信手段と、前記第１光波長を受信波長とし前記第２光波長を送信波長とした第２送受信手段と、前記第１及び第２送受信手段を前記単芯ファイバに光学的に接続する接続手段と、を有し、
前記第１送受信手段および前記第２送受信手段のいずれが受信光を受信するを監視し、
前記受信光を受信した送受信手段の波長により光信号の双方向伝送を行い、
他方の送受信手段には電力供給を停止する、
ことを特徴とする光波長選択方法。
【請求項１１】
ランダムな時間間隔で前記第１送受信手段および前記第２送受信手段への電力供給を交互に実行することで、前記受信監視を行うことを特徴とする請求項１０記載の光波長選択方法。
【請求項１２】
第１光波長を送信波長とし第２光波長を受信波長とした第１送受信手段と、前記第１光波長を受信波長とし前記第２光波長を送信波長とした第２送受信手段と、前記第１及び第２送受信手段を前記単芯ファイバに光学的に接続する接続手段と、を有する光送受信器において、コンピュータに光波長選択を実行させるためのプログラムにおいて、
ａ）前記第１送受信手段および前記第２送受信手段を交互に選択するステップと、
ｂ）ランダムな時間間隔を設定してタイマをスタートさせるステップと、
ｃ）前記時間間隔内で選択された送受信手段により受信光が受信されたか否かを判定するステップと、
ｄ）受信光が受信されたときには、前記選択された送受信手段により送受信を実行するステップと、
ｅ）前記選択された送受信手段で受信光が受信されなかったときには、前記ステップａ）に戻って、他方の送受信手段により前記ステップｂ）からｄ）を繰り返すステップと、
を有することを特徴とするプログラム。
【発明の詳細な説明】
【技術分野】  本発明は双方向光通信システムに用いられる光送受信器に係り、特に単芯光ファイバに複数の光信号を波長多重して双方向通信を行うための光送受信器に関する。
【背景技術】  単芯光ファイバに波長の異なる信号光を互いに反対方向に伝播させる双方向光通信システムが実用化されている。このようなシステムの各端局に用いられる光送受信器は、一方の端局の送信波長が他方の受信波長となるように必ず対で使用する必要がある。具体的には、波長λ１およびλ２を用いた双方向チャネルが単芯ファイバに波長多重されている場合、一方の光送受信器には波長λ１の発光素子および波長λ２の受光素子を、他方の光送受信器には波長λ２の発光素子および波長λ１の受光素子を、それぞれ設けなければならない。
これに対して、特開２００１−８５７８７号公報には、波長ごとに専用の構成を用意することなく任意の波長に対応可能な光送受信器が提案されている。この従来の光送受信器はＷＤＭフィルタを用いて送信光および受信光を分離し、波長可変型ファイバグレーティングレーザを用いて送信光を生成する。ＷＤＭフィルタによって分離された受信光は、波長モニタによって波長を検出され、検出された受信波長に従って調整されたチューナブルフィルタを通してフォトダイオードによって受光される。
しかしながら、上記従来の光送受信器は、発光素子に可変波長型レーザを用い、受光系に波長モニタおよびチューナブルフィルタを設けたチューナブルな光送受信器であり、光送受信モジュールとして構成が複雑になる。また、波長モニタをフォトダイオードの前段に設ける必要があるために、受信光の損失が大きくなるという問題もある。
本発明の目的は、複数の波長に対応可能で、かつ、効率のよい光送受信器を提供することにある。
本発明の他の目的は、光送受信モジュールの構成を複雑化することなく複数の波長から１つを選択することができる光波長自動選択方法を提供することにある。
【発明の開示】
本発明によれば、単芯ファイバを通して光信号の双方向伝送を行うための光送受信器は、複数の受信波長の受信光を受信可能であり、かつ、前記複数の受信波長の各々と対になる複数の送信波長の送信光を送信可能な送受信手段と、前記送受信手段を前記単芯ファイバに光学的に接続する接続手段と、前記送受信手段により受信された受信光の受信波長に従って、当該受信光の受信波長とそれと対になる送信波長とを前記送受信手段の送受信波長として選択する制御手段と、を有することを特徴とする。
前記送受信手段は、第１光波長を送信波長とし第２光波長を受信波長とした第１送受信手段と、前記第１光波長を受信波長とし前記第２光波長を送信波長とした第２送受信手段と、を有することができる。この場合、制御手段は、前記第１送受信手段および前記第２送受信手段のいずれかが受信光を受信すると、前記受信光を受信した送受信手段により光信号の双方向伝送を行う。
望ましくは、制御手段は、前記第１送受信手段および前記第２送受信手段へ電力を供給するためのパワー制御手段を含み、前記パワー制御手段は前記受信光を受信した送受信手段に電力を供給し、他方の送受信手段には電力供給を停止する。
また、前記接続手段に光スイッチを用い、受信光を受信した送受信手段と前記ファイバとを接続するように制御することで光損失の少ない光送受信が可能となる。
本発明の他の側面によれば、前記送受信手段は、第１光波長および第２光波長のいずれかを送信波長として送信光を出力する送信手段と、前記第１光波長を受信波長とする第１受信手段と、前記第２光波長を受信波長とする第２受信手段と、を有することができる。この場合、前記制御手段は、前記第１受信手段および前記第２受信手段のいずれかが受信光を受信すると、前記受信光を受信した受信手段を選択し、かつ、前記受信光の受信波長とは別の波長を送信波長とするように前記送信手段を制御する。
本発明のさらに別の側面によれば、前記送受信手段は、第１光波長を送信波長とし第２光波長を受信波長とした第１送受信手段と、前記第１光波長を受信波長とし前記第２光波長を送信波長とした第２送受信手段と、前記第１送受信手段と前記第２送受信手段とを前記接続手段に光学的に接続する合分波手段と、を有するモジュールを複数個配列した構成を有することもできる。
本発明による光送受信器は、端局間で単芯ファイバを通して光信号の双方向伝送を行うための双方向光伝送システムに適用することができる。すなわち、前記端局のうち少なくとも一方の端局は、複数の受信波長の受信光を受信可能であり、かつ、前記複数の受信波長の各々と対になる複数の送信波長の送信光を送信可能な送受信手段と、前記送受信手段を前記単芯ファイバに光学的に接続する接続手段と、前記送受信手段により受信された受信光の受信波長に従って、当該受信光の受信波長とそれと対になる送信波長とを前記送受信手段の送受信波長として選択する制御手段と、を有する光送受信器が設けられている。
前記双方向光伝送システムにおいて、前記制御手段は、前記受信光の受信検出を行うために、ランダムな時間間隔で前記送受信手段の送信波長及び受信波長を切り替えることが望ましい。
第１光波長を送信波長とし第２光波長を受信波長とした第１送受信手段と、前記第１光波長を受信波長とし前記第２光波長を送信波長とした第２送受信手段と、前記第１及び第２送受信手段を前記単芯ファイバに光学的に接続する接続手段と、を有する光送受信器において、光送受信器の光波長選択方法は、前記第１送受信手段および前記第２送受信手段のいずれが受信光を受信するを監視し、前記受信光を受信した送受信手段の波長により光信号の双方向伝送を行い、他方の送受信手段には電力供給を停止する、ことを特徴とする。特に、ランダムな時間間隔で前記第１送受信手段および前記第２送受信手段への電力供給を交互に実行することで、前記受信監視を行うことが望ましい。
さらに、前記光送受信器においてコンピュータに光波長選択を実行させるためのプログラムは、ａ）前記第１送受信手段および前記第２送受信手段を交互に選択するステップと、ｂ）ランダムな時間間隔を設定してタイマをスタートさせるステップと、ｃ）前記時間間隔内で選択された送受信手段により受信光が受信されたか否かを判定するステップと、ｄ）受信光が受信されたときには、前記選択された送受信手段により送受信を実行するステップと、ｅ）前記選択された送受信手段で受信光が受信されなかったときには、前記ステップａ）に戻って、他方の送受信手段により前記ステップｂ）からｄ）を繰り返すステップと、を有することを特徴とする。
【図面の簡単な説明】  第１図は、本発明の第１実施形態による光送受信器の概略的ブロック図、
第２図は、第１図の光送受信器のより詳細なブロック図、
第３図は、第１実施形態による光送受信器の光波長自動選択方法を示すフローチャート、
第４図は、本発明の第２実施形態による光送受信器の概略的ブロック図、
第５図は、本発明の第３実施形態による光送受信器の概略的ブロック図、
第６図は、本発明の第４実施形態による光送受信器の概略的ブロック図、
第７図は、本発明による光送受信器を用いた双方向光通信システムの一例を示す構成図、
第８図は、本発明による光送受信器を用いた双方向光通信システムの他の例を示す構成図である。
【発明を実施するための最良の形態】  第１図に示すように、本発明の第１実施形態による光送受信器は、２個の光送受信モジュール１０１及び１０２を設け、それらの入出力ポートＰ１およびＰ２が合分波器１０３に光学的に接続されている。光送受信モジュール１０１及び１０２の送受信波長は互いに対になっている。すなわち、光送受信モジュール１０１の送信波長がλ１、受信波長がλ２であれば、光送受信モジュール１０２の送信波長はλ２、受信波長はλ１である。一例として、λ１＝１５５０ｎｍ、λ２＝１３１０ｎｍである。
合分波器１０３の光ポートは単芯光ファイバ（図示せず。）に光学的に接続されている。光送受信モジュール１０１あるいは１０２からの送信光は合分波器１０３を通して光ファイバへ送出され、光ファイバからの受信光は合分波器１０３を通して光送受信モジュール１０１および１０２へ入射する。
光送受信モジュール１０１及び１０２は物理層デバイス１０４に接続され、物理層デバイス１０４は上位レイヤデバイスに接続されている。送信データは物理層デバイス１０４を通して光送受信モジュール１０１及び１０２へ出力され、光送受信モジュール１０１あるいは１０２で受信された信号は物理層デバイス１０４へ出力される。
制御部１０５は、光送受信モジュール１０１及び１０２を制御することで、光波長の自動選択を実行する。以下、本実施形態について、第２図及び第３図を参照しながらより詳細に説明する。
第２図に示すように、光送受信モジュール１０１及び１０２は波長が異なる以外は基本的に同じ構成を有する。光送受信モジュール１０１は、合分波器１０１ａ、発光素子ＬＤ１、受光素子ＰＤ１および受信検出器ＤＥＴ１を有する。発光素子ＬＤ１は波長λ１のレーザ光を出力する半導体レーザであり、出力光は送信信号により変調される。受光素子ＰＤ１は合分波器１０１ａからの波長λ２の受信光を受光して受信信号を出力するフォトダイオードである。受光素子ＰＤ１の出力には受信検出器ＤＥＴ１が接続されており、受光素子ＰＤ１のから受信信号が出力されると、受信検出信号Ｓ１を出力する。
合分波器１０１ａのポートＰ１は合分波器１０３に光学的に接続されている。発光素子ＬＤ１から出力された波長λ１の送信光は合分波器１０１ａを通して合分波器１０３へ送出され、合分波器１０３からの波長λ２の受信光は合分波器１０１ａを通して受光素子ＰＤ１へ入射する。
同様に、光送受信モジュール１０２は、合分波器１０２ａ、発光素子ＬＤ２、受光素子ＰＤ２および受信検出器ＤＥＴ２を有する。発光素子ＬＤ２は波長λ２のレーザ光を出力する半導体レーザであり、出力光は送信信号により変調される。受光素子ＰＤ２は合分波器１０２ａからの波長λ１の受信光を受光して受信信号を出力するフォトダイオードである。受光素子ＰＤ２の出力には受信検出器ＤＥＴ２が接続されており、受光素子ＰＤ２のから受信信号が出力されると、受信検出信号Ｓ２を出力する。
合分波器１０２ａのポートＰ２は合分波器１０３に光学的に接続されている。発光素子ＬＤ２から出力された波長λ２の送信光は合分波器１０２ａを通して合分波器１０３へ送出され、合分波器１０３からの波長λ１の受信光は合分波器１０２ａを通して受光素子ＰＤ２へ入射する。
図１の制御部１０５は、波長選択コントローラ２０１、乱数発生器２０２およびパワー制御部２０３からなる。波長選択コントローラ２０１は、上述した受信検出器ＤＥＴ１およびＤＥＴ２から受信検出信号Ｓ１およびＳ２を入力し、受信検出された方の電源をオンするようにパワー制御部２０３を制御する。すなわち、パワー制御部２０３によって光送受信モジュール１０１及び１０２の電源の一方をＯＮ、他方をＯＦＦすることで、使用する光波長が決定される。また、波長選択コントローラ２０１は、乱数発生器２０２からの乱数を利用して光送受信モジュール１０１及び１０２の電源を交互にＯＮ／ＯＦＦ制御し、どちらに受信光が入力したかを決定する。以下、本実施形態における波長選択制御について、詳細に説明する。
第３図において、波長選択コントローラ２０１はパワー制御部２０３を制御して、光送受信モジュール１０１を選択して電源を供給し、光送受信モジュール１０２の電源供給を停止する（ステップＳ３０１）。これによって光送受信モジュール１０１のみが活性化され光送受信可能となる。同時に、波長選択コントローラ２０１は、乱数発生器２０２からの乱数ＲＮを用いてタイマＴを設定しスタートさせる（ステップＳ３０２）。
上述したように、受光素子ＰＤ１が受信光（波長λ２）を受信すれば、受信検出器ＤＥＴ１から受信検出信号Ｓ１が立ち上がる。したがって、波長選択コントローラ２０１は受信検出信号Ｓ１をモニタすることで受信したか否かを判定することができる（ステップＳ３０３）。この受信モニタをタイマＴがタイムアウトするまで継続する（ステップＳ３０４）。もし時間内に受信すれば（ステップＳ３０３のＹＥＳ）、当該光送受信モジュール１０１によって送受信が行われる（ステップＳ３０５）。タイマＴがタイムアウトすると（ステップＳ３０４のＹＥＳ）、同様の動作が光送受信モジュール１０２についても実行される。なお、タイマＴがタイムアウトするのは、時間内に受信しなかった場合のほかに、ステップＳ３０５の送受信が終了した時にタイマＴがタイムアウトしている場合も含まれる。
タイマＴがタイムアウトすると（ステップＳ３０４のＹＥＳ）、波長選択コントローラ２０１はパワー制御部２０３を制御して、光送受信モジュール１０１の電源供給を停止し、光送受信モジュール１０２の電源供給を開始する（ステップＳ３０６）。これによって光送受信モジュール１０２のみが活性化され光送受信可能となる。同時に、波長選択コントローラ２０１は、乱数発生器２０２からの乱数ＲＮを用いてタイマＴを設定しスタートさせる（ステップＳ３０７）。
上述したように、受光素子ＰＤ２が受信光（波長λ１）を受信すれば、受信検出器ＤＥＴ２から受信検出信号Ｓ２が立ち上がる。したがって、波長選択コントローラ２０１は受信検出信号Ｓ２をモニタすることで受信したか否かを判定することができる（ステップＳ３０８）。この受信モニタをタイマＴがタイムアウトするまで継続する（ステップＳ３０９）。もし時間内に受信すれば（ステップＳ３０８のＹＥＳ）、当該光送受信モジュール１０２によって送受信が行われる（ステップＳ３１０）。タイマＴがタイムアウトすると（ステップＳ３０９のＹＥＳ）、制御は再びステップＳ３０１へ戻る。なお、タイマＴがタイムアウトするのは、時間内に受信しなかった場合のほかに、ステップＳ３１０の送受信が終了した時にタイマＴがタイムアウトしている場合も含まれる。
以上のステップＳ３０１〜３１０を繰り返すことで、２つの光送受信モジュールをランダムな時間間隔で交互にＯＮ／ＯＦＦして、使用すべき光波長を自動的に選択することができる。タイマＴの時間設定に乱数ＲＮを用いたのは、相手側端局の受信モニタの周期と一致して受信を検出できない事態を回避するためである。
第４図は、本発明の第２実施形態による光送受信器を示す。本実施形態では、光スイッチ４０１および波長選択コントローラ４０２を設け、波長選択コントローラ４０２によって光スイッチ４０１を制御することで、光ポートと光送受信モジュール１０１および１０２の一方の入出力ポート（Ｐ１あるいはＰ２）とを光学的に接続する。本実施形態の動作も第１実施形態と基本的に同じであり、第３図に示すフローチャートを用いて次のように説明することができる。
まず、波長選択コントローラ４０２はパワー制御部２０３を制御して光送受信モジュール１０１を選択するとともに、光スイッチ４０１を制御して光ポートと光送受信モジュール１０１の入出力ポートＰ１とを接続する（ステップＳ３０１）。これによって光送受信モジュール１０１のみが光送受信可能となる。同時に、波長選択コントローラ４０１は乱数ＲＮを用いてタイマＴを設定しスタートさせる（ステップＳ３０２）。
波長選択コントローラ４０２は受信検出信号Ｓ１をモニタすることで受信したか否かを判定する（ステップＳ３０３）。この受信モニタをタイマＴがタイムアウトするまで継続する（ステップＳ３０４）。もし時間内に受信すれば（ステップＳ３０３のＹＥＳ）、当該光送受信モジュール１０１によって送受信が行われる（ステップＳ３０５）。タイマＴがタイムアウトすると（ステップＳ３０４のＹＥＳ）、光スイッチ４０１のパスが入出力ポートＰ２の側へ切り替わり、同様の動作（ステップＳ３０６〜Ｓ３１０）が光送受信モジュール１０２についても実行される。
このように、光スイッチ４０１を制御して光ポートと光送受信モジュール１０１あるいは１０２の入出力ポートとを接続するために、光損失が少なくなり、より効率的な光送受信を達成できる。
第５図は、本発明の第３実施形態による光送受信器を示す。本実施形態では、光送受信モジュールではなく、可変波長レーザ５０１と２つのフォトダイオード５０２および５０３とを組み合わせた構成を有する。フォトダイオード５０２および５０３はカプラ５０４に光学的に接続され、カプラは更に合分波器５０５に光学的に接続されている。受信光は合分波器５０５およびカプラ５０４を通してフォトダイオード５０２および５０３の両方に入射する。
可変波長レーザ５０１は、波長選択コントローラ５０６の制御に従って、送信波長をλ１とλ２とのいずれかに切り替えることができる。フォトダイオード５０２は波長λ１の受信光を受光し受信信号を出力するとともに、受信検出信号Ｓ１を波長選択コントローラ５０６へ出力する。同様に、フォトダイオード５０３は波長λ２の受信光を受光し受信信号を出力するとともに、受信検出信号Ｓ２を波長選択コントローラ５０６へ出力する。
本実施形態の動作も第１実施形態と基本的に同じであるが、可変波長レーザ５０１と２つのフォトダイオード５０２および５０３の制御が異なる。
まず、波長選択コントローラ５０６は、可変波長レーザ５０１の送信波長をλ１に設定するとともに、パワー制御部５０７を制御してフォトダイオード５０３を選択する。これによってフォトダイオード５０３のみが活性化され、波長λ２の光だけが受信可能となる。同時に、波長選択コントローラ５０６は、上述したように、乱数ＲＮを用いてタイマＴを設定しスタートさせる。
フォトダイオード５０３が受信光（波長λ２）を受信すれば、受信検出信号Ｓ２が立ち上がるから、波長選択コントローラ５０６は受信検出信号Ｓ２をモニタすることで受信したか否かを判定することができる。この受信モニタをタイマＴがタイムアウトするまで継続する。もし時間内に受信すれば、送信波長λ１の可変波長レーザ５０１と受信波長λ２のフォトダイオード５０３とによって送受信が行われる。
タイマＴがタイムアウトすると、波長選択コントローラ５０６は、可変波長レーザ５０１の送信波長をλ２に切り替えるとともに、パワー制御部５０７を制御してフォトダイオード５０２を選択する。これによってフォトダイオード５０２のみが活性化され、波長λ１の光だけが受信可能となる。以下同様に、波長選択コントローラ５０６は乱数ＲＮを用いてタイマＴを設定しスタートさせ、上述した受信モニタを実行する。もし時間内に受信すれば、送信波長λ２の可変波長レーザ５０１と受信波長λ１のフォトダイオード５０２とによって送受信が行われる。
第６図は、本発明の第４実施形態による光送受信器を示す。本実施形態では、図１および図２に示す構成を１つのモジュールとし、このモジュールを異なる光波長でｎ個（Ｍ１〜Ｍｎ）並列接続した構成を有する。モジュールＭ１は光波長λ１／λ２、モジュールＭ２は光波長λ３／λ４というように、モジュールごとに光波長が異なっている。各モジュール内の制御部（ＣＴＲＬ）１０５は第１実施形態と同様に制御動作を行う。
モジュールＭ１〜Ｍｎの入出力ポートは合分波器６０１に光学的に接続され、合分波器６０１を通して光ポートに接続されている。また、モジュールＭ１〜Ｍｎの制御部（ＣＴＲＬ）１０５は、全体的な電源オン／オフ制御を行う制御部６０２に接続される。このように構成することで、任意個数（ｎ個）の対の送受信波長λｉ／λｊ＋１から１組の送受信波長を自動的に選択することができる。
具体的には、各モジュールにおける２つの光送受信モジュールをランダムな時間間隔で交互にＯＮ／ＯＦＦして受信モニタを実行しているときに、たとえば波長λ４の受信光が光ファイバを通して入力したとする。この場合、受信光は各モジュールへ分配されるが、受信検出信号を生成するのはモジュールＭ２の光送受信モジュール１０１のみである。したがって、制御部６０２はモジュールＭ２の制御部１０５を制御して、光送受信モジュール１０１のみに電源を供給し、光送受信モジュール１０２の電源供給を停止するとともに、その他のモジュールＭ１、Ｍ３〜Ｍｎへの電源供給も停止する。
なお、モジュールＭ１〜Ｍｎの各々は、上記第１実施形態に限らず、第４図に示す第２実施形態および第５図に示す第３実施形態のものでもよい。
第７図に示すように、上記実施形態による光送受信器を光ファイバの両端に接続されたメディアコンバータに適用すると、一方のメディアコンバータＭＣ−Ｃが送信すると、他方のメディアコンバータＭＣ−Ｃは、その受信波長に合うように送受信波長を自動的に選択する。従って、システムの送受信波長を意識することなくメディアコンバータを接続することができる。
上述したように、送受信波長が決定されると、使用されない光送受信モジュールは電源が切断されるために不要な電力を消費することもない。
第８図に示すように、一方の端に送受信波長が設定された従来のメディアコンバータＭＣ−ＡあるいはＭＣ−Ｂが接続された光ファイバに、上記実施形態による光送受信器を設けたメディアコンバータＭＣ−Ｃを接続することもできる。この場合、相手側のメディアコンバータがいずれの送受信波長であっても、上記実施形態による光送受信器は光波長を自動選択するから、通信が可能になる。逆に、上記実施形態による光送受信器を設けたメディアコンバータＭＣ−Ｃが接続されたラインでは、従来のメディアコンバータＭＣ−ＡおよびＭＣ−Ｂのいずれを接続しても通信が可能となる。
なお、制御部１０５は、プログラム制御プロセッサによってソフトウエアにより実現することも可能である。すなわち、波長選択制御プログラムを格納しておき、それをプログラム制御プロセッサによって実行することで、第３図に示すような本発明による波長選択制御を行うことができる。
【図１】
2004056020.tif 000003
【図２】
2004056020.tif 000004
【図３】
2004056020.tif 000005
【図４】
2004056020.tif 000006
【図５】
2004056020.tif 000007
【図６】
2004056020.tif 000008
【図７】
2004056020.tif 000009
【図８】
2004056020.tif 000010
【国際調査報告】
2004056020.tif 000011
2004056020.tif 000012